(57)【要約】      （修正有）【課題】土地や建物、その他の工作物等の測量、調査、取得又は使用に関連する業務に関する図面の分割図および／又は修正図および／又は関連図および／又は詳細情報を誰でも容易に効率的に確認ができるようにした図面を提供する。【解決手段】図面１の外部から非接触方式により情報の書き込み及び読み取りが可能な非接触記憶媒体４を取り付け、前記非接触記憶媒体の記憶手段に、前記図面の表示内容に関する前記図面の分割図および／又は修正図および／又は関連図および／又は詳細情報が記憶されている構成とする。【選択図】図１
2007199644.tif 000002
【特許請求の範囲】
【請求項１】
土地や建物などを取得又は使用する場合に伴う、前記土地や建物その他の工作物等の測量や調査及び補償金額の算定並びに前記土地や建物などの取得又は使用に関連する業務に関する図面であって、前記図面には、前記図面の外部から非接触方式により情報の書き込み及び読み取りが可能な非接触記憶媒体が取り付けられ、前記非接触記憶媒体の記憶手段に、前記図面の表示内容に関する前記図面の分割図および／又は修正図および／又は関連図および／又は詳細情報が記憶されていることを特徴とする図面。
【請求項２】
建物や工作物等の建設や工事や検査等に関する図面であって、前記図面には、前記図面の外部から非接触方式により情報の書き込み及び読み取りが可能な非接触記憶媒体が取り付けられ、前記非接触記憶媒体の記憶手段に、前記図面の表示内容に関する前記図面の分割図および／又は修正図および／又は関連図および／又は詳細情報が記憶されていることを特徴とする図面。
【請求項３】
前記非接触記憶媒体が取り付けられた前記図面と、その非接触記憶媒体に対して非接触方式で、情報の書き込み及び情報の読み取りを行うリーダライタ装置と、前記リーダライタ装置と通信可能に接続されたセンタ装置とからなる図面情報管理システムであって、
前記非接触記憶媒体は、前記分割図および／又は修正図および／又は関連図および／又は詳細情報を記憶する手段を有し、
前記リーダライタ装置は、前記非接触記憶媒体の記憶手段に記憶されている前記分割図および／又は修正図および／又は関連図および／又は詳細情報を読み取る読み取り手段と、新たな前記分割図および／又は修正図および／又は関連図および／又は詳細情報を前記非接触記憶媒体の記憶手段に書き込む書込手段と、前記書込手段で書き込んだ新たな前記分割図および／又は修正図および／又は関連図および／又は詳細情報を前記センタ装置に送信する手段とを有し、
前記センタ装置は、前記分割図および／又は修正図および／又は関連図および／又は詳細情報を記憶したデータベースと、前記リーダライタ装置から受信した新たな前記分割図および／又は修正図および／又は関連図および／又は詳細情報を、前記データベースの新たな前記分割図および／又は修正図および／又は関連図および／又は詳細情報として追加して記憶させる手段とを備えている、
ことを特徴とする図面情報管理システム。
【請求項４】
前記センタ装置に通信可能に接続されたプリンター装置とからなる構成であることを特徴とする請求項３に記載の図面情報管理システム。
【請求項５】
前記非接触記憶媒体が、非接触ＩＣカードまたは非接触ＩＣタグであることを特徴とする請求項１から請求項４のいずれか一つに記載の図面又は図面情報管理システム。
【請求項６】
前記図面が土地の測量に基づく地籍測量図面や土地の実測図面、補償金額算定のための前記土地や建物その他の工作物等の調査図面、建物や工作物等の設計図面又は工事用図面又は構造計算図面のいずれかであることを特徴とする請求項１から請求項５のいずれか一つに記載の図面又は図面情報管理システム。
【請求項７】
前記図面内に、前記非接触記憶媒体の記憶手段に記憶されている内容の見出し欄が備えられていることを特徴とする請求項１から請求項６のいずれか一つに記載の図面又は図面情報管理システム。
【発明の詳細な説明】
【技術分野】
【０００１】  土地や建物などを取得又は使用する場合に伴う、前記土地や建物その他の工作物等の測量や調査及び補償金額の算定並びに前記土地や建物などの取得又は使用に関連する業務に関する図面、建物や工作物等の建設や工事や検査等に関する図面、あるいは、前記図面の表示内容に関する前記図面の分割図および／又は修正図および／又は関連図および／又は詳細情報を管理するための図面情報管理システムに関する。
【背景技術】
【０００２】  従来、土地や建物などを取得又は使用する場合に伴う、前記土地や建物その他の工作物等の測量や調査及び補償金額の算定並びに前記土地や建物などの取得又は使用に関連する業務に関する図面として、例えば、土地の測量に基づいた地積測量図面や実測図面や土地所在図面や法務局の公図転写図面や前記土地や建物その他の工作物等の補償金額算定のための調査図面などがある。それら従来図面は、普通はビニールフィルム（マイラー図などと呼ばれている）や紙などの材質からなる。【０００３】  また、従来図面では、その表示スペースに限りがあるので、また、情報を表示すればするほどその図面は見づらくなるので、その図面には主たる情報を表示するだけで、その表示内容に関する詳細情報は表示していない。
例えば従来の土地実測図面の場合に、前記主たる情報として、その図面内には土地（筆）の境界線（すなわち境界線を結んだ土地「筆」の形）を表示すると共に、その図面の名前や所在地や地番や名義人や面積や図面作成者や図面作成年月日や縮尺や方位などが表示されている。
そして、普通は、その図面内に表示されている土地（筆）の名義人の変遷や相続人や分筆経過や登記簿面積と実測面積との整合性や抵当権等の有無などというその土地（筆）（表示内容）に関する詳細情報は表示されていない。なお、詳細情報はこれらに限定されない。
それら詳細情報の確認をする場合には、別途戸籍謄本や登記簿謄本（あるいはその戸籍や登記簿を調査した書面）やその他詳細情報が記載された書面などの確認が必要となる。
そこで、その従来の土地実測図面に表示されている土地を取得又は使用する場合に伴う、買収交渉や売買契約や借地契約や登記や補償金額算定業務などの場合において、当該図面とその図面の表示内容（図面に表示されている土地「筆」）に関する詳細情報とを確認したい場合には、いちいちその図面に対応する戸籍謄本や登記簿謄本（あるいはその戸籍や登記簿を調査した書面）やその他詳細情報が記載された書面等を取り出してきてそれぞれ別途に見比べながら確認していかなければならない。また、それら戸籍謄本や登記簿謄本（あるいはその戸籍や登記簿を調査した書面）やその他詳細情報が記載された書面などが何処にあるのか分からなかったりする場合もあるので、その確認の効率が悪いとともに、確認ミスの危険性も高いと言う問題がある。【０００４】  また、登記申請手続きや買収交渉などにおいて、土地実測図面に表示されている土地（筆）の形とそれに対応している法務局の公図に表示されている土地（筆）の形との整合性を確認する場合に、土地の実測図面とそれに対応している法務局の公図転写図面（このような転写図面を作っておく場合があります）（土地の実測図面の関連図面）を見比べる際や、土地（筆）の分筆や合筆が新たに起こっている場合に、その分筆や合筆の経過を確認するために基の筆を表示している土地実測図面とその基の筆の分筆図面や合筆図面（土地の実測図面の関連図面）とを見比べる際などに、それら図面をいちいち取り出してきて別途確認していくのは確認の効率が悪という問題がある。
あるいは、前記土地や建物などの取得又は使用に関連する業務における、各買収対象者ごとの資産状況の把握や買収予算の立案等の場合において、従来の土地実測図面内に表示されている土地（筆）の内で、例えば、同じ名義人の筆とか同じ土地単価の筆とか相続が発生している筆とか取得計画範囲のある区域の筆だけを確認したい等の場合には、その図面内に表示されている筆を同じ所有者や同じ土地単価の筆や相続の起こっている筆ごとに色分けする等したその図面の修正図面やそのある区域だけを表示したその図面の分割図面などを作ることがよくあります。なぜならば、そのような修正図面や分割図面の方が単なる土地実測図面を見るより同じ名義人の筆とか同じ土地単価の筆とか相続が発生している筆とか取得計画範囲のある区域の筆などということが確認し易いからです。また、従来の土地の実測図面に表示されている土地（筆）の上に立っている建物や工作物等を確認をしたい場合には、別途その建物とか工作物等の調査図面（その土地の実測図面の関連図面）などで確認しなければならない。
しかしながらそれら修正図面や分割図面や関連図面を、いちいち取り出して来て確認して行いくのは効率が悪いという問題がある。【０００５】  特に、ダム建設や原子力発電所建設などの開発計画などに基づいてある地域の大規模な土地建物等の取得事業を進めて行く場合においては、その取得計画範囲内に存する士地や建物や工作物等は膨大な数になりますので、従来図面やその図面の修正図面や分割図面や関連図面や戸籍謄本や登記簿謄本（あるいはその戸籍や登記簿を調査した書面）やその他前記詳細情報を記載した書面等の数も膨大なものとなりますので、従来図面の表示内容に関する前記詳細情報の確認の際には、その図面に対応する前記詳細情報が記載された書面などを探し出すのにますます手間がかかるなどその確認の効率がますます悪くなり確認ミスの生じる危険性も高まる。さらに、人事異動や組織変更にともなって、新任の担当者が戸籍謄本や登記簿謄本（あるいはその戸籍や登記簿を調査した書面）やその他詳細情報が記載された書面や修正図面や分割図面や関連図面などを捜し出すのに大変な手間がかかるなどの問題も出てくる。【０００６】  また、従来、建物や工作物等の建設や工事や検査等に関する図面として、建物や工作物等の設計図面や工事用図面や構造計算図面などがある。これら図面は普通はビニールフィルム（マイラー図と呼ばれている）や紙質からなっている。【０００７】  それら従来図面では、その表示スペースに限りがあるので、また、情報を記載すればするほどその図面は見づらくなるので、その図面には主たる情報を表示するだけで、その表示内容に関する詳細情報は記載していない。
例えば従来の建物設計図面の場合に、前記主たる情報として、その図面内には建物あるいはその建物の一部分の計画図を表示すると共に、各部や部位の名称や材質や寸法や面積や建築年月日や設計者や図面作成年月日や建物の名称や縮尺などが表示されている。そして、普通は、その図面内に表示されている建物の法的規制状況や各部や部位の名称や材質などの説明や建築デザインの決定状況等のその表示されている建物（表示内容）に関する詳細情報は表示されていない。なお、詳細情報はこれらに限定されない。
しかしながら、前記各部や部位や材質などの名称は専門用語であり、寸法の表示単位などは業界の規約などの取り決めに基づいた数字である。
従って、専門知識の乏しい建築主や工事関係者などがそれら図面で表示されている建物や工作物等の計画図の表示内容を確認したり検査する場合には以下のような問題がある。
土地や建物の各部や部位や材質などの名称は専門用語なので、建築用語辞典などで調べるか専門知識に詳しい人に質問する等しなければその用語の意味が理解できないとい問題がある。例えば内壁のプラスター塗りという名称の表示がある場合に、それがどう言うものなのかイメージできない。あるいは、寸法の単位や根拠などが表示されていない場合には、センチメートルなのかミリメートルなのか、四捨五入したのか切捨てした数字なのか等が分からない。あるいは、どこからどこまで測った寸法なのかが分からないという問題がある。例えば、柱の中心から測ったのか壁面から測った寸法なのかが分からない場合がある。
従って、専門知識の乏しい建築主や工事関係者などがそれら図面で表示されている建物や工作物等の計画図の表示内容を確認したり検査する際に、その確認や検査などができなかったり確認や検査の効率が悪かったり確認や検査ミスが起こるなどの問題がある。【０００８】  以上のような問題がありますので、図面からその図面の表示内容に関する前記図面の分割図および／又は修正図および／又は関連図および／又は詳細情報の確認が容易に効率的にできる技術が現在求められています。
また、図面からその図面の表示内容に関する前記図面の分割図面および／又は修正図面および／又は関連図面および／又は詳細情報の記載された書面の提供ができる技術が現在求められています。
【発明の開示】
【発明が解決しようとする課題】
【０００９】  土地や建物などを取得又は使用する場合に伴う、前記土地や建物その他の工作物等の測量や調査及び補償金額の算定並びに前記土地や建物などの取得又は使用に関連する業務に関する図面であって、又は、建物や工作物等の建設や工事や検査等に関する図面であって、その図面にその図面の表示内容に関するその図面の分割図および／又は修正図および／又は関連図および／又は詳細情報を記憶させ、その記憶させた前記図面の分割図および／又は修正図および／又は関連図および／又は詳細情報を簡単に読み取り可能とすることで、前記図面の分割図および／又は修正図および／又は関連図および／又は詳細情報を誰でも容易に効率的に確認ができるようにした図面を提供する。
さらにまた、図面からその図面の表示内容に関するその図面の分割図面および／又は修正図面および／又は関連図面および／又は詳細情報の記載された書面などを提供することができるようにした図面を提供する。
【課題を解決するための手段】
【００１０】  前記目的を達成するため、本発明の図面は、土地や建物などを取得又は使用する場合に伴う、前記土地や建物その他の工作物等の測量や調査及び補償金額の算定並びに前記土地や建物などの取得又は使用に関連する業務に関する図面であって、前記図面には、前記図面の外部から非接触方式により情報の書き込み及び読み取りが可能な非接触記憶媒体が取り付けられ、前記非接触記憶媒体の記憶手段に、前記図面の表示内容に関する前記図面の分割図および／又は修正図および／又は関連図および／又は詳細情報が記憶されていることを特徴とする。【００１１】  また、本発明の図面は、建物や工作物等の建設や工事や検査等に関する図面であって、前記図面には、前記図面の外部から非接触方式により情報の書き込み及び読み取りが可能な非接触記憶媒体が取り付けられ、前記非接触記憶媒体の記憶手段に、前記図面の表示内容に関する前記図面の分割図および／又は修正図および／又は関連図および／又は詳細情報が記憶されていることを特徴とする。【００１２】  さらに、本発明の図面は、前記非接触記憶媒体が取り付けられた前記図面と、その非接触記憶媒体に対して非接触方式で、情報の書き込み及び情報の読み取りを行うリーダライタ装置と、前記リーダライタ装置と通信可能に接続されたセンタ装置とからなる図面情報管理システムであって、
前記非接触記憶媒体は、前記分割図および／又は修正図および／又は関連図および／又は詳細情報を記憶する手段を有し、
前記リーダライタ装置は、前記非接触記憶媒体の記憶手段に記憶されている前記分割図および／又は修正図および／又は関連図および／又は詳細情報を読み取る読み取り手段と、新たな前記分割図および／又は修正図および／又は関連図および／又は詳細情報を前記非接触記憶媒体の記憶手段に書き込む書込手段と、前記書込手段で書き込んだ新たな前記分割図および／又は修正図および／又は関連図および／又は詳細情報を前記センタ装置に送信する手段とを有し、
前記センタ装置は、前記分割図および／又は修正図および／又は関連図および／又は詳細情報を記憶したデータベースと、前記リーダライタ装置から受信した新たな前記分割図および／又は修正図および／又は関連図および／又は詳細情報を、前記データベースの新たな前記分割図および／又は修正図および／又は関連図および／又は詳細情報として追加して記憶させる手段とを備えていることを特徴とする構成とすることができる。【００１３】  さらにまた、本発明の図面情報管理システムは、前記センタ装置に通信可能に接続されたプリンター装置とからなる構成であることを特徴とする。【００１４】  そして、本発明の図面は、前記非接触記憶媒体が、非接触ＩＣカードまたは非接触ＩＣタグである構成とすることができる。【００１５】  そしてまた、本発明の図面は、前記図面が土地の測量に基づく地籍測量図面や土地の実測図面、補償金額算定のための前記土地や建物その他の工作物等の調査図面、建物や工作物等の設計図面又は工事用図面又は構造計算図面のいずれかであることを特徴とする。【００１６】  なお、法務局の公図や法務局備え付け図面や各市町村等の役場公図等も本発明の図面として挙げることは可能ですが、現時点ではそれら図面の閲覧と、その図面の表示内容に関する詳細情報が記載された登記簿や戸籍等の調査等は、別々に申請手続きを取らなければならない制度になっておりますので、本発明の図面には挙げていない。【００１７】  またさらに、本発明の図面は、前記図面内に、前記非接触記憶媒体の記憶手段に記憶されている内容の見出し欄が備えられていることを特徴とする。
【発明の効果】
【００１８】  本発明に係る非接触記憶媒体付き図面および図面属性情報管理システムによれば、図面にその図面の外部から非接触方式により情報の書き込み及び読み取りが可能な非接触記憶媒体が取り付けられ、前記非接触記憶媒体の記憶手段に、前記図面の表示内容に関する前記図面の分割図および／又は修正図および／又は関連図および／又は詳細情報が記憶されているので、その前記図面の分割図および／又は修正図および／又は関連図および／又は詳細情報を簡単に読み取り確認をすることができるという効果がある。さらに新たな前記図面の分割図および／又は修正図および／又は関連図および／又は詳細情報を記憶させ、また、記憶させた新たな前記図面の分割図および／又は修正図および／又は関連図および／又は詳細情報を簡単に読み取り確認することができるという効果がある。
さらにまた、前記図面から前記図面の分割図面および／又は修正図面および／又は関連図面および／又は詳細情報の記載された書面の提供ができる効果がある。
したがって、前記図面の表示内容に関する確認や検査が容易に効率的にできる効果がある。
【発明を実施するための最良の形態】
【００１９】  図１は、本発明の実施形態に係る土地の測量に基づく実測図面の平面図であって、その図面１内には、主たる情報２として、その図面１の中央に複数の土地（筆）の境界線（境界線が結ばれた筆の形）３を表示するとともに、その表示された境界線３の中に地番と名義人と現況地目などを表示して、図面１の斜め下には作成年月日と図面作成者、図面１の中央上部にはその図面の名前と所在地、図面１の斜め左上には方位と縮尺などが表示されている。また、前記非接触記憶媒体の記憶手段に記憶されている内容の見出し欄２７が備えられている。
図面１の素材は普通はビニールフィルム（マイラー図と呼ばれている）や紙質である。【００２０】  また、図面１の斜め右上の一部には、非接触記憶媒体である非接触ＩＣカード４が取り付けられている。
取り付け方法としては、図２に示すように図面に凹部を設けて埋め込む構造や、図３に示すように図面に貼り込まれる構造、図４に示すように図面に貼り付ける構造など、種々の取り付け方法を用いる事ができ、特に限定されない。【００２１】  非接触記憶媒体であるＩＣカード４は、図５に示すように、カード基材本体内に、ＩＣ５とこのＩＣ５に接続されたアンテナコイル６とが内蔵され、このアンテナコイル６により、外部のＩＣカードリーダライタ１２と電波で通信できるように構成されている。
また、非接触記憶媒体は、非接触ＩＣカード４に限定されるものではなく、非接触ＩＣタグのように非接触によりデータの送受信およびデータの記憶が行える機能を有する媒体であれば適応可能である。
例えば、非接触ＩＣタグのように小型サイズの非接触記憶媒体では、非接触ＩＣカード４よりも小さなスペース内に取り付ける事が可能となる。【００２２】  非接触記憶媒体である非接触ＩＣカード４には、図６に示すように、ＩＣカードリーダライタ１２等の外部デバイスと通信を行う為のアンテナコイル６と、非接触インターフェース７と、ＣＰＵ８と、不揮発性メモリであるＥＥＰＲＯＭ９及びＲＯＭ１０と、揮発性メモリであるＲＡＭ１１とが備えられている。【００２３】  非接触ＩＣカード４のＥＥＰＲＯＭ９は、図面１に表示された表示内容（土地）（筆）に関する図面１の分割図および／又は修正図および／又は関連図面および／又は詳細情報が記憶され、ＲＯＭ１０には、予め処理手順などのプログラムが記憶され、ＲＡＭ１１には作業用情報などが記憶される。【００２４】  次に、本発明の非接触記憶媒体付き図面に図面１の表示内容に関する図面１の分割図および／又は修正図および／又は関連図および／又は詳細情報を書き込んで記憶させる方法について説明する。
まず、例えば、図面１に関する分割図および／又は修正図および／又は関連図および／又は詳細情報が記憶されていない非接触ＩＣカード４を図面１に取り付けておき、図７に示すように、ＩＣカードリーダライタ１２をその非接触ＩＣカード４に近づけ、その図面１内の表示内容に関する図面１の分割図および／又は修正図および／又は関連図および／又は詳細情報をＩＣカードリーダライタ１２から非接触ＩＣカード４のＥＥＰＲＯＭ９に書き込む方法がある。
また、他の方法としては非接触ＩＣカード４を図面１に取り付ける前の段階で、その図面１内の表示内容に関する図面１の分割図および／又は修正図および／又は関連図および／又は詳細情報をＩＣカードリーダライタ１２から非接触ＩＣカード４のＥＥＰＲＯＭ９に書き込んだ後、図面１に取り付ける方法がある。【００２５】  そして、図面１の表示内容に関する図面１の分割図および／又は修正図および／又は関連図および／又は詳細情報を非接触ＩＣカード４に記憶させておけば、図面１に表示されている土地（筆）の買収交渉や売買契約や登記などの場合において、図面１からその図面１で表示されている土地（筆）に関する図面１の分割図および／又は修正図および／又は関連図および／又は詳細情報を読みたい場合には、図７に示すようにＩＣカードリーダライタ１２をその非接触ＩＣカード４に近づけることで、非接触ＩＣカード４のＥＥＰＲＯＭ９に記憶されているその図面１で表示されている土地（筆）に関する図面１の分割図および／又は修正図および／又は関連図および／又は詳細情報をＩＣカードリーダライタ１２で読み取り、そのＩＣカードリーダライタ１２から、図８に示すように通信ユニット１３を介して、センタ装置１４の表示部に表示させることで知らせる事ができる。【００２６】  次に、本発明の実施形態に係る、図面情報管理システムについて説明する。
図８に示すように、図面Ｉに取り付けられている非接触ＩＣカード４との間で、非接触により情報の書き込み及び情報の読み取りを行うためのハンディータイプのＩＣカードリーダライタ１２と、そのＩＣカードリーダライタ１２から受信した情報を処理するセンタ装置１４とが備えられている。【００２７】  また、センタ装置１４には、ＩＣカードリーダライタ１２と無線通信を行う機能を有する通信ユニット１３が備えられている。（あるいは、ＩＣカードリーダライタ１２とセンタ装置１４とをＵＳＢケーブルで接続する構成を採ることも出来る）。
さらにまた、前記センタ装置１４に通信可能に接続されたプリンター装置１５とからなる構成を採ることも可能です。【００２８】  センタ装置１４には、図９に示すように、通信ユニット１３と接続を行うＩ／Ｆ１６、表示手段１７、登録手段１８、記憶手段１９、制御手段２０、前記分割図および／又は修正図および／又は関連図データベース２１や前記詳細情報データベース２２などが備えられている。登録手段１８は、分割図や修正図や関連図データベース２１や前記詳細情報データベース２２に必要な図面１の分割図および／又は修正図および／又は関連図および／又は詳細情報を随時登録する機能を有している。【００２９】  また、ＩＣカードリーダライタ１２であるハンディーターミナルは、図９に示すように、表示手段２３、送受信手段２４、入力手段２５、通信手段２６、制御手段２７などが備えられ、送受信手段２３により非接触ＩＣカード４への情報の書き込みや情報の読み取りを行い、通信手段２６により通信ユニット１３との通信処理を行うものである。
【図面の簡単な説明】
【００３０】
【図１】本発明の実施形態にかかる平面図である。
【図２】図面にＩＣカードを一体に取り付ける方法を説明した斜視図である。
【図３】図面にＩＣカードを一体に取り付ける方法を説明した斜視図である。
【図４】図面にＩＣカードを一体に取り付ける方法を説明した斜視図である。
【図５】図面にＩＣカードを収納する場合を説明した斜視図である。
【図６】非接触ＩＣカードの平面図である。
【図７】本発明の実施形態にかかる非接触記憶媒体付き図面の使用状態を説明するための図である。
【図８】本発明の実施形態にかかる図面情報管理システムの全体の構成を示す図である。
【図９】本発明の実施形態にかかる図面情報管理システムのシステムブロック図である。
【符号の説明】
【００３１】１      図面
２      主たる情報
３      境界線
４      非接触ＩＣカード
５      ＩＣ
６      アンテナコイル
７      非接触インターフェース
８      ＣＰＵ
９      ＥＥＰＲＯＭ
１０    ＲＯＭ
１１    ＲＡＭ
１２    ＩＣカードリーダライタ
１３    通信ユニット
１４    センタ装置
１５    プリンター装置
１６    インターフェース（Ｉ／Ｆ）
１７・２３    表示手段
１８    登録手段
１９    記憶手段
２０・２７    制御手段
２１    分割図および／又は修正図および／又は関連図データベース
２２    詳細情報データベース
２４    送受信手段
２５    入力手段
２６    通信手段
２７    見出し欄
【図１】
2007199644.tif 000003
【図２】
2007199644.tif 000004
【図３】
2007199644.tif 000005
【図４】
2007199644.tif 000006
【図５】
2007199644.tif 000007
【図６】
2007199644.tif 000008
【図７】
2007199644.tif 000009
【図８】
2007199644.tif 000010
【図９】
2007199644.tif 000011